(57)【要約】【課題】部品点数や梱包時の工数を少なくすることができ、梱包作業の作業性を向上させることができる梱包ケースを提供する。【解決手段】断面四角形状の胴部２と、胴部２の下側開口を閉じる底部３とを備え、胴部２は、四角形の各辺を形成する第１〜第４側板５〜８から成り、第１〜第４側板５〜８の下端部に折り目９〜１２を介して第１〜第４底板片１３〜１６が各別に連設され、底部３は、折り目９〜１２で下側開口側に折曲した第１〜第４底板片１３〜１６を一体に係合連結して構成され、第１〜第４底板片１３〜１６の少なくとも一つに、被梱包物を支持する支持体を組み立て可能な支持片１８，２０が連設されている。【選択図】図１
2019043598.tif 000002
【特許請求の範囲】
【請求項１】
断面四角形状の胴部と、
前記胴部の下側開口を閉じる底部とを備えている梱包ケースであって、
前記胴部は、前記四角形の各辺を形成する第１〜第４側板から成り、
前記第１〜第４側板の下端部に折り目を介して第１〜第４底板片が各別に連設され、
前記底部は、前記折り目で前記下側開口側に折曲した前記第１〜第４底板片を一体に係合連結して構成され、
前記第１〜第４底板片の少なくとも一つに、被梱包物を支持する支持体を組み立て可能な支持片が連設されている梱包ケース。
【請求項２】
前記第１側板と第２側板が対向するとともに、第３側板と前記第４側板が対向し、
前記第１側板に対応する前記第１底板片に左右一対の第１係合部が形成され、
前記第２側板に対応する第２底板片に左右一対の第２係合部が形成され、
前記第３側板に対応する第３底板片に第３係合部が形成され、
前記第４側板に対応する前記第４底板片に第４係合部が形成され、
前記第１底板片の左右一対の第１係合部に、前記第３底板片の第３係合部と前記第４底板片の第４係合部が各別に係合し、
前記第２底板片の左右一方側の第２係合部が、左右一方側の前記第１係合部と前記第３係合部の間に挿入係合し、
前記第２底板片の左右他方側の第２係合部が、左右他方側の前記第１係合部と前記第４係合部の間に挿入係合する請求項１記載の梱包ケース。
【請求項３】
前記支持片は、前記第１底板片の先端部と前記第２底板片の先端部にそれぞれ連設され、
前記第１底板片の先端部に連設された第１の前記支持片に、前記第１底板片の基端に沿う１又は２以上の第２の折り目が形成され、
前記第１の支持片が前記第２の折り目で折曲されて第１の前記支持体が組み立てられ、
前記第２底板片の先端部に連設された第２の前記支持片に、前記第２底板片の基端に沿う１又は２以上の第２の折り目が形成され、
前記第２の支持片が前記第２の折り目で折曲されて第２の前記支持体が組み立てられる請求項２記載の梱包ケース。
【発明の詳細な説明】
【技術分野】
【０００１】
本発明は梱包ケースに関する。
【背景技術】
【０００２】
梱包ケースは、断面四角形状の胴部と、胴部の上側開口を閉じる蓋部と、胴部の下側開口を閉じる底部とから成り、例えば段ボールで展開形状に形成されて、この展開形状から立体形状に組み立てられる。
上記の梱包ケースにおいて、前記底部は、通常、粘着テープ等を用いることなく簡単に組み立てることができるように、いわゆる地獄底に構成される（特許文献１参照）。このような梱包ケースには、被梱包物を支持する支持体としての緩衝材が被梱包物と一緒に収容され、緩衝材により被梱包物の位置が決められるとともに被梱包物に対する衝撃が吸収されている。
【先行技術文献】
【特許文献】
【０００３】
【特許文献１】特開２０００−１０３４２２号公報
【発明の概要】
【発明が解決しようとする課題】
【０００４】
上記従来の構成によれば、梱包ケースに緩衝材が被梱包物と一緒に収容されるために、部品点数や梱包時の工数が多くなっていた。また、緩衝材の組み立てや梱包ケース内での緩衝材の位置決め作業に手間がかかり、梱包作業の作業性が低下していた。
本発明は上記実状に鑑みて成されたもので、その目的は、部品点数や梱包時の工数を少なくすることができ、梱包作業の作業性を向上させることができる梱包ケースを提供する点にある。
【課題を解決するための手段】
【０００５】
本発明の梱包ケースは、断面四角形状の胴部と、前記胴部の下側開口を閉じる底部とを備えている。
また、本発明の梱包ケースにおいて、前記胴部は、前記四角形の各辺を形成する第１〜第４側板から成り、前記第１〜第４側板の下端部に折り目を介して第１〜第４底板片が各別に連設され、前記底部は、前記折り目で前記下側開口側に折曲した前記第１〜第４底板片を一体に係合連結して構成され、前記第１〜第４底板片の少なくとも一つに、被梱包物を支持する支持体を組み立て可能な支持片が連設されている。
【発明の効果】
【０００６】
本発明によれば、部品点数や梱包時の工数を少なくすることができ、梱包作業の作業性を向上させることができる梱包ケースを提供することができる。
【図面の簡単な説明】
【０００７】
【図１】図１は、梱包ケースの展開図である。
【図２】図２は、第１〜第４底板片を開放した梱包ケースの底面図である。
【図３】図３は、図２の状態から第１底板片を胴部の下側開口側に折曲した梱包ケースの底面図である。
【図４】図４は、図３の状態から第３底板片と第４底板片を胴部の下側開口側に折曲した梱包ケースの底面図である。
【図５】図５は、図４の状態から第２底板片と第１支持片を胴部の下側開口側に折曲している状態の梱包ケースの斜視図である。
【図６】図６は、第２底板片の左右一対の第２係合部を、左右一方側の第１係合部と第３係合部の間と、左右他方側の第１係合部と第４係合部の間とに各別に挿入係合する前の斜視図である。
【図７】図７は、第２底板片の左右一対の第２係合部を、左右一方側の第１係合部と第３係合部の間と、左右他方側の第１係合部と第４係合部の間とに各別に挿入している状態の梱包ケースの斜視図である。
【図８】図８は、第１〜第４底板片の係合連結を完了して地獄底を形成した梱包ケースの底面図である。
【図９】図９は、蓋部を開放した梱包ケースの上面図である。
【図１０】図１０は、梱包ケースの底部の縦断側面図である。
【図１１】図１１は、梱包ケースに収容されるトナーコンテナの斜視図である。
【発明を実施するための形態】
【０００８】
以下、本発明の実施の形態を図面に基づいて説明する。
図１に、紙製の段ボールを折曲して組み立てられる梱包ケース１の展開図を示してある。この梱包ケース１には、図１１に示す画像形成装置のトナーコンテナ５０（被梱包物に相当）が収容される。
【０００９】
図１，図２，図５，図８，図９に示すように、梱包ケース１は、横断面四角形状の胴部２と、胴部２の下側開口を閉じる底部３と、胴部２の上側開口を閉じる蓋部４とを備えている。
【００１０】
［第１〜第４側板５〜８の構造］
前記胴部２は、前記四角形の各辺を形成する第１〜第４側板５〜８から成る。第１〜第４側板５〜８は長方形状に形成され、これらのうちの第１側板５と第２側板６が対向し、第３側板７と第４側板８が対向している。横断面において、第１側板５と第２側板６は、第３側板７と第４側板８よりも長く設定されている。
【００１１】
［第１〜第４底板片１３〜１６の構造］
図１，図２に示すように、第１〜第４側板５〜８の下端部に折り目９〜１２を介して第１〜第４底板片１３〜１６が各別に連設されている。すなわち、第１側板５に対応する第１底板片１３が、第１側板５の下端部に折り目９を介して連設され、第２側板６に対応する第２底板片１４が、第２側板６の下端部に折り目１０を介して連設されている。さらに、第３側板７に対応する第３底板片１５が、第３側板７の下端部に折り目１１を介して連設され、第４側板８に対応する第４底板片１６が、第４側板８の下端部に折り目１２を介して連設されている。
【００１２】
前記底部３は、折り目９〜１２で前記下側開口側に折曲した第１〜第４底板片１３〜１６を一体に係合連結して形成され、いわゆる地獄底に構成されている。これにより、前記底部３を粘着テープ等を用いることなく簡単に組み立てることができる。
【００１３】
第１〜第４側板５〜８の下端と第１〜第４底板片１３〜１６の基端１３Ａ〜１６Ａとの対応するもの同士は略同一長さである。
【００１４】
第１底板片１３は長方形状に形成されている。また、第２底板片１４は、第２側板６から遠い側ほど幅狭の台形状の底板本体部２９を備えている。第３底板片１５と第４底板片１６は、第１底板片１３側の一側が「く」の字の凹状に形成されて、第３底板片１５の先端１５Ｂが基端１５Ａよりも短く設定され、第４底板片１６の先端１６Ｂが基端１６Ａよりも短く設定されている。
【００１５】
図１，図２，図９，図１０に示すように、トナーコンテナ５０の幅方向一方側の部分を載置支持する第１支持体１７（図９，図１０参照）を組み立て可能な第１支持片１８（支持片に相当、図１，図２参照）が前記第１底板片１３の先端部に連設されている。また、トナーコンテナ５０の幅方向他方側の部分を載置支持する第２支持体１９（図９，図１０参照）を組み立て可能な第２支持片２０（支持片に相当、図１，図２参照）が第２底板片１４の底板本体部２９の先端部に連設されている。これらの構造については後で詳しく説明する。
【００１６】
［第１〜第４底板片１３〜１６の係合部の構造］
図２，図３に示すように、第１底板片１３の先端部に、左右一対の第１係合部２１が形成されている。この第１係合部２１は、第１底板片１３と第１支持片１８との間に形成された左右一対の長方形状の角孔２８の内周部で構成されている。また、図２，図６に示すように、第２底板片１４の底板本体部２９の先端部に、左右一対の四角形片状の第２係合部２２が突設されている。前記左右一対の第２係合部２２間には第２支持片２０の基端部が位置し、左右一対の第２係合部２２と第２支持片２０の基端部との間に切り込み２５がそれぞれ形成されている。
【００１７】
前述のように、第３底板片１５の第１底板片１３側の一側が「く」の字の凹状に形成されることで、第３底板片１５の先端部に、第１底板片１３側に向かって尖った三角片状の第３係合部２３が形成されている。また、第４底板片１６の第１底板片１３側の一側が「く」の字の凹状に形成されることで、第４底板片１６の先端部に、第１底板片１３側に向かって尖った三角片状の第４係合部２４が形成されている。
【００１８】
そして、図３〜図６に示すように、第１底板片１３の左右一対の第１係合部２１に、第３底板片１５の第３係合部２３と第４底板片１６の第４係合部２４が各別に係合している。さらに、図３，図７，図８に示すように、第２底板片１４の左右一方側の第２係合部２２が、左右一方側の第１係合部２１と前記第３係合部２３の間に挿入係合し、第２底板片１４の左右他方側の第２係合部２２が、左右他方側の第１係合部２１と第４係合部２４の間に挿入係合している。これにより、前記底部３が地獄底に構成されている。
【００１９】
［第１支持体１７と第１支持片１８の構造］
図１，図２に示すように、前記第１支持片１８に、第１底板片１３の基端１３Ａに沿う複数の（１個であってもよい）第２の折り目２６が形成されている。そして、図２，図９，図１０に示すように、前記第２の折り目２６で第１支持片１８が折曲されて、前記第１支持体１７が中空状の断面半台形に形成されている。
【００２０】
図１０に示すように、第１支持体１７は、第１底板片１３の先端部から立ち上がる第１立ち上がり壁３０と、第１立ち上がり壁３０の頂部から上側ほど第１側板５の内面側に位置するように延びる第１傾斜壁３１と、第１傾斜壁３１の頂部から下方に延びる第１縦壁３２とから成る。第１縦壁３２は第１側板５の内面に重なっている。また、第１支持片１８の先端部中央に形成された第１係合凸部４０が、第１底板片１３の基端部に形成された第１係合孔４１（図１参照）に挿入係合されている。
【００２１】
［第２支持体１９と第２支持片２０の構造］
図１，図２に示すように、前記第２支持片２０に、第２底板片１４の基端１４Ａに沿う複数の（１個であってもよい）第２の折り目２６が形成されている。そして、図２，図１０に示すように、前記第２の折り目２６で第２支持片２０が折曲されて、前記第２支持体１９が中空状の断面半台形に形成されている。
【００２２】
図１０に示すように、第２支持体１９は、第２底板片１４の底板本体部２９の先端部から立ち上がる第２立ち上がり壁３３と、第２立ち上がり壁３３の頂部から上側ほど第２側板６の内面側に位置するように延びる第２傾斜壁３４と、第２傾斜壁３４の頂部から下方に延びる第２縦壁３５とから成る。第２縦壁３５は第２側板６の内面に重なっている。また、第２支持片２０の先端部中央に形成された第２係合凸部４２が、第２底板片１４の基端部に形成された第２係合孔４３（図１参照）に挿入係合されている。
【００２３】
図１０に示すように、第１支持体１７の第１立ち上がり壁３０と、第２支持体１９の第２立ち上がり壁３３は突き合わされて、第１支持体１７の第１傾斜壁３１と第２支持体１９の第２傾斜壁３４との上面が断面Ｖ字状を成している。そして、この上面に、上下反転されたトナーコンテナ５０の断面略三角山形状の側面５０Ｊが載置・嵌合されている。前記第１支持体１７と第２支持体１９により、梱包ケース１内のトナーコンテナ５０の位置を決めることができ、トナーコンテナ５０に対する衝撃を吸収することができる。
【００２４】
図２，図９に示すように、前記第２傾斜壁３４に長方形の貫通孔２７（図１参照）が形成され、この貫通孔２７にトナーコンテナ５０の摘み５５が上方から挿入されている。
これにより、摘み５５が第１支持体１７や梱包ケース１の底部３に干渉することを防止でき、摘み５５の損傷や白化を防止することができる。摘み５５は、トナーコンテナ５０の着脱時に把持される。
【００２５】
［梱包ケース１の組み立て］
（１）  図１，図２，図３に示すように、第１底板片１３を折り目９で胴部２の下側開口側に折曲し、第１支持片１８を複数の第２の折り目２６で胴部２の下側開口側に折曲する。そして、第１支持片１８の先端部中央の第１係合凸部４０を、第１底板片１３の基端部の第１係合孔４１に挿入係合する。
【００２６】
（２）  図２，図４に示すように、第３底板片１５と第４底板片１６をそれぞれ折り目１１，１２で胴部２の下側開口側に折曲して、第１底板片１３の左右両端部に梱包ケース１の外側（下側）から重ね合わせる。そして、第３底板片１５の第３係合部２３を、第１底板片１３の左右一方側の前記角孔２８に挿入させて第１係合部２１に係合させ、第４底板片１６の第４係合部２４を、第１底板片１３の左右他方側の前記角孔２８に挿入させて第１係合部２１に挿入係合させる。
【００２７】
（３）  図１，図５に示すように、第２底板片１４を折り目１０で胴部２の下側開口側に折曲し、第２支持片２０を複数の第２の折り目２６で胴部２の下側開口側に折曲する。
【００２８】
（４）  図１，図６，図７に示すように、第２底板片１４の左右一方側の第２係合部２２を、左右一方側の第１係合部２１と前記第３係合部２３の間に挿入係合し、第２底板片１４の左右他方側の第２係合部２２を、左右他方側の第１係合部２１と第４係合部２４の間に挿入係合する。また、第２支持片２０の先端部中央の第２係合凸部４２を、第２底板片１４の基端部の第２係合孔４３に挿入係合する。
【００２９】
本発明によれば、第１支持体１７を組み立て可能な第１支持片１８が第１底板片１３の先端部に連設され、第２支持体１９を組み立て可能な第２支持片２０が第２底板片１４の先端部に連設されているから、部品点数や梱包時の工数を少なくすることができる。
【００３０】
また、第２の折り目２６で第１支持片１８と第２支持片２０を折曲するだけで、第１支持体１７と第２支持体１９を簡単に形成することができ、しかも、第１支持体１７と第２支持体１９の位置決めに手間がかからず、梱包作業の作業性を向上させることができる。
【００３１】
［別実施形態］
（１）  前記支持片は、前記第１底板片１３〜第４底板片１６のうちのいずれか一つだけに折り目を介して連設された構造であってもよい。また、前記支持片は、前記第１底板片１３〜第４底板片１６のうちの３つのそれぞれに折り目を介して連設された構造であってもよい。
【００３２】
（２）  本発明は、トナーコンテナ５０以外の被梱包物を収容する梱包ケース１にも適用することができる。また、前記被梱包物は、画像形成装置以外の装置の部品であってもよい。
【００３３】
（３）  前記段ボールは樹脂製であってもよい。
【００３４】
上記の実施形態は例として提示しており、発明の範囲を限定することは意図していない。
【産業上の利用可能性】
【００３５】
以上説明したように、本発明は画像形成装置の部品を収容する梱包ケースについて有用であり、特に、複写機、ファクシミリ、プリンタ、及び複合機（ＭＦＰ）等の部品を収容する梱包ケースに有用である。
【符号の説明】
【００３６】
２            胴部
３            底部
５            第１側板
６            第２側板
７            第３側板
８            第４側板
９            折り目（第１側板と第１底板片の間の折り目）
１０            折り目（第２側板と第２底板片の間の折り目）
１１            折り目（第３側板と第３底板片の間の折り目）
１２            折り目（第４側板と第４底板片の間の折り目）
１３            第１底板片
１３Ａ          第１底板片の基端
１４            第２底板片
１４Ａ          第２底板片の基端
１５            第３底板片
１６            第４底板片
１７            支持体（第１支持体）
１８            支持片（第１支持片）
１９            支持体（第２支持体）
２０            支持片（第２支持片）
２１            第１係合部
２２            第２係合部
２３            第３係合部
２４            第４係合部
２６            第２の折り目
５０            被梱包物（トナーコンテナ）
【図１】
2019043598.tif 000003
【図２】
2019043598.tif 000004
【図３】
2019043598.tif 000005
【図４】
2019043598.tif 000006
【図５】
2019043598.tif 000007
【図６】
2019043598.tif 000008
【図７】
2019043598.tif 000009
【図８】
2019043598.tif 000010
【図９】
2019043598.tif 000011
【図１０】
2019043598.tif 000012
【図１１】
2019043598.tif 000013